(57)【特許請求の範囲】
【請求項１】
液体を貯蔵及び注出のための装置であって、
首部を介して容器に液体を注入し、また、そこから液体を注出するための首部を有する液体容器と、
前記容器の首部中に配置される弁構造と、
前記弁構造から前記容器の内部領域に伸びる注出用の管とを備え、
前記弁の組み立て部は、加圧流体を前記容器の内部に供給し、また、前記注出用の管及び前記弁構造を介して外部に液体を注出するための弁を形成し、
前記弁構造は、前記容器の首部に固定され、また前記容器の内部に配置された内部の端部、及び前記容器の外部に配置される外部端部から伸びる弁筐体、及び前記筐体内において前記容器から外側に液体を注出及び前記容器の内側に加圧流体を供給する一対の弁から成る弁構成部品と、から構成され、
前記弁筐体は、別々に形成された第一弁筐体本体部及び第二弁筐体本体部からなり、
前記第一弁筐体本体部は、前記容器の首部中に装着され、
前記第二弁筐体本体部は、前記弁筐体を形成するため、及び前記筐体内で前記弁構成部品を保持するため、機械的に前記第一弁筐体本体部と連結される
装置。
【請求項２】
第一弁筐体本体部及び第二弁筐体本体部は、機械的にねじ留めにより連結されている
請求項１記載の装置。
【請求項３】
前記ねじ適合は、一方向非開放ねじ適合であり、２つの弁筐体本体部が一緒になるようにねじられる場合、２つの弁筐体本体部はねじ外しできない
請求項１記載の装置。
【請求項４】
前記第一弁筐体本体部は、前記弁構成部品の周囲に適合し、及び前記第二弁筐体本体部に連結する内部環状構造と、前記容器の首部に接合する外部環状構造とからなる
請求項１記載の装置。
【請求項５】
前記内部環状構造は、ねじ山を有し、
前記第二弁筐体本体部は、機械的な連結を提供するための相補的なねじ山を有する
請求項４記載の装置。
【請求項６】
前記第一弁筐体本体部の前記内部環状構造の前記ねじ山は、内向きのねじ山であり、
前記第二弁筐体本体部は、相補的な外向きのねじ山を伴う端部の通気孔の栓からなる
請求項５記載の装置。
【請求項７】
前記ねじ山は、機械的な連結が形成される際、お互いに飛び越え若しくは邪魔をして、連続的にねじり取られるのを防止するように形成される
請求項６記載の装置。
【請求項８】
前記第一弁筐体本体部の前記外部環状構造は、前記容器の首部中に装着するための、外側に面する外周表面を有し、その外部環状構造は、５０ｍｍ〜８０ｍｍの範囲の直径を有する
請求項４記載の装置。
【請求項９】
前記直径は７０ｍｍのオーダである
請求項８記載の装置。
【請求項１０】
前記第一弁筐体本体部は、その本体部の前記内部環状構造から外側に空間取られた管状リングの形である
請求項４から８のいずれか１項に記載の装置。
【請求項１１】
前記管状リングは、放射状の接続フランジによって前記内部環状構造に接続されている
請求項１０記載の装置。
【請求項１２】
前記弁筐体は、前記第一弁筐体本体部の前記内部環状構造及び前記外部環状構造の間の容器の内部から、通気孔を供給している圧力開放弁を備える
請求項１記載の装置。
【請求項１３】
前記容器及び前記弁筐体は、プラスチック金属で形成される
請求項１２記載の装置。
【請求項１４】
前記プラスチック金属はＰＥＴである
請求項１３記載の装置。
【請求項１５】
前記第一弁筐体本体部は、熱溶解により前記容器の前記首部中に固定されている
請求項１記載の装置。
【請求項１６】
前記弁筐体は、留めくぎ技術により、前記容器の首部中に固定される
請求項１記載の装置。
【請求項１７】
前記弁構成部品は、前記第二弁筐体本体部の保持要素によって、引き出されないように保持される
請求項１記載の装置。
【請求項１８】
前記要素は、前記第二弁筐体本体部の、凹部に適合された保持リングである
請求項１７記載の装置。
【請求項１９】
前記凹部は、前記第二筐体本体部中の内部の外周溝からなり、
前記保持リングは、プラスチック、又は前記溝に適合された、いくつかの他の弾力性があり強力な金属の弾力性リングである
請求項１８記載の装置。
【請求項２０】
前記保持リングは、前記弁筐体の外部端部を介して引き出されないように他の弁構成部品を保持し、及び当該弁の１つのために環状弁座部を提供するという二重の機能を備える
請求項１８又は１９記載の装置。
【請求項２１】
前記第一弁筐体本体部は、保持リングを有する
請求項１記載の装置。
【請求項２２】
液体容器及び自動注出容器のための弁構造であって、
液体を容器に満たし及び放出し、前記容器の内部に配置されている第一端部から装着時には容器の外部に位置する端部に伸び、液体容器の首部に装着される弁筐体と、
前記筐体内において、圧縮流体を前記容器の内部に供給し、また前記容器から外部に液体を注出するための一対の弁から成る弁構成部品とを備え、
前記弁筐体は、別々に形成された第一弁筐体本体部及び第二弁筐体本体部から構成され、
前記第一弁筐体本体部は、前記容器の首部中へ装着されるように配置され、
前記第二弁筐体本体部は、前記弁筐体を形成するため、及び前記筐体内で前記弁構成部品を保持するため、機械的に前記第一弁筐体本体部に連結される
弁構造。
【請求項２３】
第一弁筐体本体部及び第二弁筐体本体部は、機械的にねじ留めにより連結されている
請求項２２記載の弁構造。
【請求項２４】
前記ねじ適合は、一方向非開放ねじ適合であり、２つの弁筐体本体部が一緒になるようにねじられる場合、２つの弁筐体本体部はねじ外しできない
請求項２２記載の弁構造。
【請求項２５】
前記第一弁筐体本体部は、前記弁構成部品の周囲に適合し、また前記第二弁筐体本体部に連結する内部環状構造と、前記容器の首部に接合する外部環状構造とからなる
請求項２２記載の弁構造。
【請求項２６】
前記内部環状構造は、ねじ山であり、
前記第二弁筐体本体部は、機械的な連結を提供するための相補的なねじ山を有する
請求項２５記載の弁構造。
【請求項２７】
前記第一弁筐体本体部の前記内部環状構造の前記ねじ山は、内向きのねじ山であり、
前記第二弁筐体本体部は、相補的な外向きのねじ山を伴う端部の通気孔の栓からなる
請求項２６記載の弁構造。
【請求項２８】
前記ねじ山は、機械的な連結が形成される際、お互いに飛び越え若しくは邪魔をして、連続的にねじり取られるのを防止するように形成される
請求項２７記載の弁構造。
【請求項２９】
前記第一弁筐体本体部の前記外部環状構造は、前記容器の首部中に装着するための、外側に面する外周表面を有し、その外部環状構造は、５０ｍｍ〜８０ｍｍの範囲の直径を有する
請求項２５記載の弁構造。
【請求項３０】
前記直径は７０ｍｍのオーダである
請求項２９記載の弁構造。
【請求項３１】
前記第一弁筐体本体部は、その本体部の前記内部環状構造から外側に空間取られた管状リングの形である
請求項２５から２９のいずれか１項に記載の弁構造。
【請求項３２】
前記管状リングは、放射状の接続フランジによって前記内部環状構造に接続されている
請求項２２記載の弁構造。
【請求項３３】
前記弁筐体は、前記第一弁筐体本体部の前記内部環状構造及び前記外部環状構造の間の容器の内部から、通気孔を供給している圧力開放弁を備える
請求項２２記載の弁構造。
【請求項３４】
前記容器及び前記弁筐体は、プラスチック金属で形成される
請求項３３記載の弁構造。
【請求項３５】
前記プラスチック金属はＰＥＴである
請求項３４記載の弁構造。
【請求項３６】
前記第一弁筐体本体部は、熱溶解により前記容器の前記首部中に固定されている
請求項２２記載の弁構造。
【請求項３７】
前記弁筐体は、留めくぎ技術により、前記容器の首部中に固定される
請求項２２記載の弁構造。
【請求項３８】
前記弁構成部品は、前記第二弁筐体本体部の保持要素によって、引き出されないように保持される
請求項２２記載の弁構造。
【請求項３９】
前記要素は、前記第二弁筐体本体部の、凹部に適合された保持リングである
請求項３８記載の弁構造。
【請求項４０】
前記凹部は、前記第二弁筐体本体部中の内部の外周溝からなり、
前記保持リングは、プラスチック、又は前記溝に適合された、いくつかの他の弾力性があり強力な金属の弾力性リングである
請求項３９記載の弁構造。
【請求項４１】
前記保持リングは、前記弁筐体の外部端部を介して引き出されないように他の弁構成部品を保持し、及び当該弁の１つのために環状弁座部を提供するという二重の機能を備える
請求項３９又は４０記載の弁構造。
【請求項４２】
前記第一弁筐体本体部は、保持リングを有する
請求項２２記載の弁構造。
【発明の詳細な説明】
【技術分野】
【０００１】
本発明は液体を貯蔵及び注出するための装置に関し、及び、そのような装置に用いられる弁構造に関するものである。本発明は、特に、ただそれに限定されるものではないが、プラスチック原料で形成されている飲料容器の供給、また、そのような容器の弁の付属品に関する出願である。
【０００２】
本発明の実施例は、ビールの貯蔵及び注出するための容器の生産として適用できるが、本発明に係る装置は、以下の説明から分かるように、また、例えばサイダーや炭酸飲料といった、その他の液体の貯蔵や注出のための容器として適用できる。
【背景技術】
【０００３】
伝統的に、ビールは、ステンレスの鋼鉄の樽で商業施設に供給され、又は特別のイベント時に供給される。これらは、頑丈な継ぎ目の無いステンレスの鋼鉄の構造をしており、これらは注出の槍型構造に適合されている。
【０００４】
そして、槍型構造は、樽の底からビールを注出するため長いステンレスの鋼鉄の注出用の管と、内容液体に圧力をかけ、及び注出用の管を介して外側に出てくるビールを、１以上の下流注出の同一の型、差込式の蛇口、又は噴霧器を備えた注出ライン中に押し出すために圧縮ガスを容器内に供給する弁構造とからなる。
【０００５】
近年においては、プラスチック技術は、使い捨てにおいて充分なリサイクルができる自動販売用の容器の製造に適用されている。そして、これらの容器は、伝統的な従来のステンレスの鋼鉄のビール樽に取って代わるのに適しているサイズの範囲のプラスチックでできている。また、そのような容器は、例えば国際公開第００／７８６６５号パンフレット及び国際公開第２００４／０６３０８７号パンフレットにおいて開示されている。
【０００６】
プラスチック製の注出容器は、一般的にＰＥＴ（ポリエチレンテレフタレート）で鋳型されるが、ＰＥＴ以外のプラスチックとしては、ポリプロピレン、ポリカーボナイトや高濃度ポリエチレン（ＨＤＰＥ）等が利用される。
【０００７】
リサイクリングをさらに促進するためには、適切なプラスチック原料で形成される槍型構造のための弁の付属品が望ましい。国際公開第２００４／０６３０８７号パンフレットは、弁構造を開示し、残りの弁構成部品が適合される前に、弁筐体がその弁構造によって容器に安全化されることができ、そのため、内部の弁構成部品が露出することによる損失のリスクを避けることができる。
【０００８】
本発明の効果の１つとして、組み立て及び液体容器中での設置をさらに促進する改良された弁構造の提供が可能なことである。改良された構造は、望むなら、液体容器からの過度の圧力の排気のために適したものとして供給できる。また本発明の他の形態の改良された弁構造により、液体容器への別の形態の接続を実現する。
【発明の開示】
【０００９】
本発明に係る装置は、液体を貯蔵及び注出のための装置であって、外向きのねじ山を有する首部を介して容器に液体を注入し、また、前記首部を介して液体を注出するための液体容器と、前記容器の首部中に配置される弁構造と、前記弁構造から前記容器の内部領域に伸びる注出用の管とを備え、前記弁構造は、加圧流体を前記容器の内部に供給し、また、前記注出用の管及び前記弁構造を介して外部に液体を注出するための弁を形成し、前記弁構造は、前記弁構造を前記容器の前記首部中に固定する内向きのねじ山を有する保持リングと、前記容器の内部に配置される内部端部及び前記容器の外部に配置される外部端部から伸び前記容器の首部に栓をする弁筐体と、前記筐体内において前記容器から外側に液体を注出及び前記容器の内側に加圧流体を供給するための弁の組に特徴を有する弁構成部品と、から構成されている装置である。
【００１０】
また、実施例中で、前記弁筐体は、別々に形成された第一弁筐体本体部及び第二弁筐体本体部とから成り、前記第一弁筐体本体部は、前記容器の前記首部内側に装着されており、前記第二弁筐体本体部は、前記弁筐体を形成するため前記第一筐体本体部に機械的に連結される。
【００１１】
本発明は、また、液体を貯蔵及び注出する容器のための弁構造であって、液体を容器に満たし及び放出し、前記容器の内部に配置されている第一端部から装着時には容器の外部に位置する端部に伸び、外向きのねじ山を有して液体容器の首部をふさぐための弁筐体と、前記弁筐体を前記液体容器に固定させるための内向きのねじ山を有する保持リングと、前記弁筐体内において、圧縮流体を前記容器の内部に供給し、及び前記容器から外部に液体を注出するための一対の弁から成る弁構成部品とを備える弁構造である。
【００１２】
実施例中では、前記弁筐体は、別々に形成された第一弁筐体本体部及び第二弁筐体本体部からなり、前記第一弁筐体本体部は、前記容器の首部中に装着され、また前記容器の内部に配置される前記筐体の端部となり、前記第二弁筐体本体部は、前記弁筐体を形成するため、及び前記筐体内で前記弁構成部品を保持するため、機械的に前記第一弁筐体本体部と連結される。
【００１３】
本発明は、液体を貯蔵及び注出のための装置であって、首部を介して容器に液体を注入し、また、そこから液体を注出するための首部を有する液体容器と、前記容器の首部中に配置される弁構造と、前記弁構造から前記容器の内部領域に伸びる注出用の管とを備え、前記弁の組み立て部は、加圧流体を前記容器の内部に供給し、また、前記注出用の管及び前記弁構造を介して外部に液体を注出するための弁を形成し、前記弁構造は、前記容器の首部に固定され、また前記容器の内部に配置された内部の端部、及び前記容器の外部に配置される外部端部から伸びる弁筐体、及び前記筐体内において前記容器から外側に液体を注出及び前記容器の内側に加圧流体を供給する一対の弁から成る弁構成部品と、から構成され、前記弁筐体は、別々に形成された第一弁筐体本体部及び第二弁筐体本体部からなり、前記第一弁筐体本体部は、前記容器の首部中に装着され、また前記容器の内部に配置される前記筐体の端部となり、前記第二弁筐体本体部は、前記弁筐体を形成するため、及び前記筐体内で前記弁構成部品を保持するため、機械的に前記第一弁筐体本体部と連結される。
【００１４】
本発明は、また、液体容器及び自動注出容器のための弁構造であって、液体を容器に満たし及び放出し、前記容器の内部に配置されている第一端部から装着時には容器の外部に位置する端部に伸び、液体容器の首部に装着される弁筐体と、前記筐体内において、圧縮流体を前記容器の内部に供給し、また前記容器から外部に液体を注出するための一対の弁から成る弁構成部品とを備え、前記弁筐体は、別々に形成された第一弁筐体本体部及び第二弁筐体本体部から構成され、前記第一弁筐体本体部は、前記容器の首部中へ前記第一弁筐体本体部の装着によって前記容器の内部に配置される筐体の端部となることを特徴とし、前記第二弁筐体本体部は、前記弁筐体を形成するため、及び前記筐体内で前記弁構成部品を保持するため、機械的に前記第一弁筐体本体部に連結される。
【００１５】
本発明は、また、液体を貯蔵及び注出のための装置であって、首部を介して容器に液体を注入し、また、そこから液体を注出するための首部を有する液体容器と、前記容器の首部中に配置される弁構造と、前記弁構造から前記容器の内部領域に伸びる注出用の管とを備え、前記弁の組み立て部は、加圧流体を前記容器の内部に供給し、また、前記注出用の管及び前記弁構造を介して外部に液体を注出するための弁を形成し、前記弁構造は、液体を前記容器に充填し及び前記容器から放出し、前記容器の内部に配置されている第一端部から装着時には前記容器の外部に位置する端部に伸び、前記容器の首部に固定される弁筐体と、前記筐体内において、前記容器の内部に圧縮流体を供給し、及び容器から外部に液体を注出するための一対の弁から成る弁構成部品とを備え、前記弁筐体は、前記容器の内部から外部に通気するための加圧開放弁を備える。
【００１６】
本発明は、さらに、液体を貯蔵及び注出する容器のための弁構造であって、液体を容器に満たし及び放出し、前記容器の内部に配置されている第一端部から装着時には容器の外部に位置する端部に伸び、液体容器の首部に装着される弁筐体と、前記筐体内において、圧縮流体を前記容器の内部に供給し、及び前記容器から外部に液体を注出するための一対の弁から成る弁構成部品とを備え、前記弁筐体は、前記容器の内部から外部を通気するための加圧開放弁を備える。
【００１７】
前記第一弁筐体本体部及び第二弁筐体本体部は、機械的にねじ留めにより連結されている。
【００１８】
前記ねじ適合は、一方向非開放ねじ適合であり、２つの弁筐体本体部が一緒になるようにねじられる場合、２つの弁筐体本体部はねじ外しできない。
【００１９】
前記第一弁筐体本体部は、前記弁構成部品の周囲に適合し、及び前記第二弁筐体本体部に連結する内部環状構造と、前記容器の首部に接合する外部環状構造とからなる。
【００２０】
前記内部環状構造は、ねじ山を有し、前記第二弁筐体本体部は、機械的な連結を提供するための相補的なねじ山を有する。
【００２１】
前記第一弁筐体本体部の前記内部環状構造の前記ねじ山は、内向きのねじ山であり、前記第二弁筐体本体部は、相補的な外向きのねじ山を伴う端部の通気孔の栓からなる。
【００２２】
前記ねじ山は、機械的な連結が形成される際、お互いに飛び越え若しくは邪魔をして、連続的にねじり取られるのを防止するように形成される。例えば、前記ねじ山が形成され、機械的な連結が形成される際、お互いに飛び越え若しくは邪魔をして、連続的にねじり取られるのを防止する、若しくは、前記第一本体部及び第二本体部のひとつがねじり取られるのを防止するロックラグを有する。
【００２３】
前記第一弁筐体本体部の前記外部環状構造は、前記容器の首部中に装着するための、外側に面する外周表面を有し、その外部環状構造は、５０ｍｍ〜８０ｍｍの範囲の直径を有する。特には、前記直径は７０ｍｍのオーダである。
【００２４】
前記第一弁筐体本体部は、その本体部の前記内部環状構造から外側に空間取られた管状リングの形である。
【００２５】
前記管状リングは、放射状の接続フランジによって前記内部環状構造に接続されている。
【００２６】
前記弁筐体は、前記第一弁筐体本体部の前記内部環状構造及び前記外部環状構造の間の容器の内部から、通気孔を供給している圧力開放弁を備える。
【００２７】
前記加圧開放弁は、前記第一弁筐体本体部に形成された開放弁筐体と、前記第二弁筐体本体部が機械的に前記第一弁筐体本体部と連結している場合に、前記開放弁筐体内の開放弁を保持するための前記第二弁筐体本体部上に形成された開放弁保持フランジとから構成される。
【００２８】
前記開放弁筐体は、前記外部の第一弁筐体本体部の管状リングに接続している放射状フランジからの前記容器から、その本体部の内部の環状構造に、内部で伸びている管状筐体である。
【００２９】
前記容器及び前記弁筐体は、プラスチック金属で形成される。それらは、例えば、ＰＥＴである。
【００３０】
前記第一弁筐体本体部は、熱溶解により前記容器の前記首部中に固定されている。例えば、超音波やスピン溶解技術である。前記弁筐体は、留めくぎ技術により、前記容器の首部中に固定される。例えば、ステンレスの鋼鉄の留めくぎリング、若しくはねじ山があるプラスチック保持リングの使用を介したものである。
【００３１】
前記第一弁筐体本体部は、弁組み立て部の残部なしに、とって代わって前記容器の首部に接続される。前記筐体の形成が、前記第一筐体本体部、及び前記第二筐体本体部の機械的な連結によって完成されるときには、前記注出用の管、及び弁組み立て部は後にねじ穴に差し込まれ、弁構成部品は引き抜かれるのに反して保留している。
【００３２】
前記弁構成部品は、前記第二弁筐体本体部の保持要素によって、引き出されないように保持される。前記要素は、前記第二弁筐体本体部の、凹部に適合された保持リングである。前記凹部は、前記第二筐体本体部中の内部の外周溝からなり、前記保持リングは、プラスチック、又は前記溝に適合された、いくつかの他の弾力性があり強力な金属の弾力性リングである。例えば、ニトリルゴムである。
【００３３】
前記保持リングは、前記弁筐体の外部端部を介して引き出されないように他の弁構成部品を保持し、及び当該弁の１つのために環状弁座部を提供するという二重の機能を備える。
【００３４】
本発明をより詳細に説明するために、実施の形態が図面を用いて参照して説明される。
【００３５】
図１は、注出用の管、及び本発明に係る弁構造を結合した液体容器と、従来のビール注出用連結器とを連結したビール樽の部分立面図である。
【００３６】
図２は、ビール樽の上部の垂直断面図である。
図３は、弁構造の所定部分の透視図である。
【００３７】
図４は、弁構造の組み立て方法を示す図である。
図５は、本発明に係る他の形態のビール樽の上部部分の垂直部分断面図である。
【００３８】
これらの図は、本発明に係る弁構造に適合した容器に結合したビール樽を示している。この樽は、一般的に符号１３で示される槍型構造に適した液体容器１２を囲み、そして保持するための外部の空状の骨組み１１を備えている。
【００３９】
槍型構造１３は、弁容器１２の上部円筒状の首部１６中に固定されている弁構造１５に連結された注出用の管１４からなる。
【００４０】
首部１６は、垂直に配置され、外側に突き出した円周フランジ５０、５１の組み合わせで形成されている。
【００４１】
外部の骨組み１１は、例えば、高濃度ポリエチレンやポリプロピレンといったどちらも強力なプラスチックの原料で鋳型された２つの構成部１７、１８で形成されている。
【００４２】
構成部１７は、液体容器１２を受けるための上部が開いた桶状の形であり、構成部１８は、主本体部中に押圧され適合するような上蓋として形成され、液体容器１２の首部１６を受けるための中央開き穴を有し、この蓋の内部リングがフランジ５１の下に配置されている。
【００４３】
外部の骨組み１１は、樽が一般的に扱いやすく、また標準的なステンレスの鋼鉄の樽と同一の備品で充填されるように、従来のステンレスの鋼鉄の樽の場合と同じ外部径及び形状を有している。
【００４４】
液体容器１２は、適切なプラスチック原料から吹き付けで鋳型されている。それは、例えば、ＰＥＴを吹きつけで鋳型している。また、それは単一層、多層、若しくはＰＥＴボトルの生産で知られている積層構造で鋳型される。
【００４５】
液体容器１２は、例えば酸素や二酸化炭素による浸透に対するバリアとして、化学変化を起こさないもの、若しくはエポキシで外部的に被膜されている。
【００４６】
容器１２は、外部骨組みの主本体部１７に形付けされている蓋内に適合するよう滑り入れられる。
【００４７】
外部骨組みの下端部には、容器の底を安全に保護するため、容器のドーム形状の下側端部に適合する湾曲を伴う上向きの皿状の床１９が形成されている。
【００４８】
容器の上部端部はまた外部骨組みの蓋部１８と結合して配置されている。
弁構造１５は、容器１２の首部１６で固定された弁筐体から成り、容器の外部に配置される上部端２２、及び容器の内面に配置された底部端２３から伸びている。
【００４９】
弁筐体２１は、後述するように、ねじ込み継ぎ手により機械的に連結された２つの別々の弁筐体本体部２１Ａ、２１Ｂにより形成されている。なお、弁筐体本体部２１Ａは、第二弁筐体本体部の一例であり、弁筐体本体部２１Ｂは、第一弁筐体本体部の一例である。
【００５０】
弁筐体本体部２１Ｂは、例えば、超音波角状回転溶解技術等の熱溶解により容器１２の首部内部に装着される。注出用の管や様々な弁構成部品が装着された後であって、弁筐体本体部２１Ａが弁筐体２の完成のためねじ留めされる前に、代わりに弁構成部品を保持する。
【００５１】
弁筐体２１の上部端は、それが従来のビール分配システム又は後述する他の形態の充填ノズルに結合されることができるようにメス型の継ぎ手として形成される。
【００５２】
弁筐体本体部２１Ｂは、内部環状構造から外側に配置され、また放射状フランジ５４により内部環状構造に接続される円状リングの形式で、内部環状構造５２、及び外部環状構造５３とから構成される。
【００５３】
外部環状リングは容器１２の首部内面にぴったり適合し、そしてそれは容器首部の端で、フランジ５０に隣接する外部端フランジ５５を有している。
【００５４】
内部環状構造５２の上部端又は外部端は、内向きのねじ山６０と共に、弁筐体本体部２１Ａの下端上に形成された従来の外向きのねじ山６１と内部適合するために供給される。
【００５５】
弁筐体本体部２１Ｂの内部環状構造の下端部は、外部弁バネ２５のための低端隣接部を提供する内転された端部の環状フランジ２４、注出用の管１４の上部端に接続されている通気孔３０と共に下端に形成され、及び弁本体部内に配置されている滑りバルブ部２６のための低い滑りサポートを有している。
【００５６】
滑りバルブ部２６の上部端は、環状バルブ頭部メンバ２７に適合され、この環状バルブ頭部メンバ２７は、筐体の上部端２２に隣接している弁筐体本体部２１Ａ中に形成される環状ねじ溝２９中に強制的に適合される弾力性のあるリング２８に反する外部弁バネ２５によって上側に付勢されている。
【００５７】
リング２８は、組み立てにおいて、弁構造１５の様々な弁構成部品を保持している保持リングとなり、また、下記で述べるように、液体の充填若しくは注出操作において、効果的に外部弁を提供している環状バルブ部２７のための弁座となっている。
【００５８】
この外部弁は、リング２８、環状バルブ部２７、付勢バネ２５、弁筐体本体部２１Ｂの低部の外周に配置された一連の放射状差込口から構成されている。
【００５９】
リング２８は、ネオプレン、若しくは、他の弾性力がありリングが保持リング及び弁座中で望まれる弾性力のある強度を提供できる強力な金属で形成される。
【００６０】
弁構造１５は、さらにバルブ管メンバ２６の上部端内に配置される上部に半球形の内部弁ヘッド３１によって形成される内部弁で形成されている。
【００６１】
そして、内部弁ヘッド３１は、内部弁バネ３３によって環状バルブ頭部メンバ２７の下側中のＯリング座部３２に反するように上側に付勢されている。
【００６２】
図１は、適した方法で、従来の注出用の連結器４０が弁筐体２１の上端に適合され、その連結器は、容器からビールを分配するための機器を作動させるものを示している。
【００６３】
連結器４０は、従来の形態であり、弁筐体２１のメス型継ぎ手と内部適合する下端である、本体４１を有している。
【００６４】
連結器本体４１は、気体入り口接続部４２を有し、この気体入り口接続部４２を介して加圧流体、特に加圧ガス（例えば、二酸化炭素）が弁構造１５の外部弁に適用される。
【００６５】
そして、それは、連結器本体４１の上部端で枢動ピン４５を回転軸としてハンドル４４の操作によって、連結器本体４１中で垂直方向に可動なビール排出管４３を作動させる中心弁を覆っている。
【００６６】
ハンドル４４及び連結器４０の管４３が上げられた状態のとき、弁構造の両方の弁は、閉められている。
【００６７】
連結器の操作部４４が弁を作動する位置に引き下げられたときに、管４３は、強制的に、内部弁を開けるために内部弁バネ３３の動作に反して半球形の内部弁ヘッド３１を下側に押すこととなる。
【００６８】
そして、連結器５０を介して弁筐体２１の上部端に供給される加圧ガスは、外部弁を開けるための付勢バネ２５の動作に反して強制的に前記環状弁ヘッド２７を下げ、加圧ガスが弁部分３４を介して容器１２中に流れる。
【００６９】
ビールは、注出用の管１４を介して上部に流れることによって注出され、このシステムにおいては、内部の開放弁や連結器の管４３を介して上側に流れる。
【００７０】
樽は直立状態、若しくはひっくり返された状態で満たされる。
一般的には、樽はひっくり返された状態で満たされ、ビールは吹き出し口を介して弁筐体２１の外部端に注出され、この弁筐体２１は外部弁を強制的に開ける。
【００７１】
そして、ビールは外部弁の出口３４を介して容器の中に流れ、容器中のガスは、注出用の管１４及び内部弁を介して逃げている。
【００７２】
図４は、弁構造が容器１２中に組み立てられ、及び取り付けられる方法を描写している。
【００７３】
第一ステップにおいては、弁筐体本体部２１Ｂは、容器１２の首部に、例えば超音波ホーンやスピン溶解技術を用いて熱融合される。
【００７４】
分離されたものを組み立てる操作中では、図３に示される構成部品は、図４中の矢印５６によって示されるように弁筐体本体部２１Ｂを介して下側に挿入され組み立てられる。
【００７５】
他の部分の組み立てに先立って弁筐体本体部２１Ｂを熱融合することによって、他の部分の損傷が防止できる。
【００７６】
特に、内部バネ３３及び内部弁頭部３１は管状の弁メンバ２６内に配置され、外部の環状弁頭部メンバ２７を弁メンバ２６の上部にねじ留めすることにより固定される。
【００７７】
外部ばね２５は、弁メンバ２６の外周部に適合され、メンバ２６の下端は、締まりばめ、Ｏリング又は超音波部分融合による方法によってふさがれる注出用の管１４の上端に適合される。
【００７８】
そして、組み立てられた組み立て部は、挿入された弁筐体本体部２５Ｂを介して、外部弁のバネ２５の下端が管状バルブ部２６の底部で、内転されたフランジ２３上に至るまで下方向に挿入される。
【００７９】
この挿入を完成するために、保持リング２８は、外部弁筐体本体部２１Ａ中の凹部に適合される。
【００８０】
そして、その本体部は、矢印５７で示されるように、下側に移動され、その下端上にある外向きのねじ山６１は、弁筐体２１を完成するために、弁筐体本体部２１Ｂの内部環状部にある内向きのねじ山に適合される。
【００８１】
弁筐体本体部２１Ａを弁筐体本体部２１Ｂ上に下げて適合する回転は、外部弁バネ２５を圧縮し、外部環状弁メンバ２７は、弁の組み立てを完成させるために弁筐体本体部２１Ａ中の保持リング２８に反する方向にバネによって付勢されている。
【００８２】
ねじ山６０、６１は形成され、その結果、弁筐体本体部２１Ａのねじり外されるのを防止、また永久に機械的に２つの本体部を結合するために、保持用ラグによる方法で、ねじ適合端部において、ねじ山の端部は、お互い飛び越え、若しくは邪魔をする。
【００８３】
その代わりに、弁筐体本体部２１Ａ、２１Ｂの一つは、本体部の他方の凹部と内部適合する保持用のラグを備える。
【００８４】
図示される弁の組み合わせ部は、上述した国際公開第２００４／０６３０８７号パンフレットに開示されている方法よりも簡易に組み合わせできる。というのも、弁構成部品の大半は、容器から離して前もって組み立てることができ、組み合てが弁筐体本体部２１Ｂへの単純なねじ適合により完成する前に、単純に配置位置に挿入されることが可能なためである。
【００８５】
弁構成部品は、図示された構成の中では別々の付近の保持リングによって保持されるのだが、弁筐体本体部２１Ａは、代わりに耐久性のある弁の座部、そして、減宿された直径の保持用フランジと共に供給される。なぜなら内部の弁構成部品はそれを介して下側に押される必要はないためである。
【００８６】
弁筐体本体部２１Ｂの二重の環構成は、また、その弁がより大きな直径の容器の首部に適合されるようにできる。
【００８７】
これによって、容器が、より小さな直径の形成から形成される容器より、より大きな内部圧に耐えることができる容器を生産するための、より大きな直径の形成から、吹き付けて鋳型できるということがわかる。特に、５０ｍｍから７５ｍｍの範囲、より好ましくは６０ｍｍ付近の直径の容器首部を生産する、より大きな直径の作成の型を用いて、１５０ｐｓｉか、それ以上の内部圧に持ちこたえることができる容器を生産することが可能となる。
【００８８】
弁筐体本体部２１Ｂの増加された直径は、また、容器加圧開放弁の合体で、容器の内部からの過度の圧力の通気を可能とすることができる。
【００８９】
図は、加圧開放弁が、弁筐体本体２１Ｂの内部環状構造及び外部環状構造５２、５３に内部接合している放射状のフランジ５４とともに、一体的に形成される管開放弁筐体６２からなることを示している。
【００９０】
その結果、容器中に伸び、そして、容器の外部の空気に直接通気するためのフランジ５４を介して伸びている通気孔を形成する。
【００９１】
前記通気用の弁頭部及び前記付勢バネは、最終組み立てにおいて、通気用筐体の中に落とされ、前記弁バネは圧縮され、前記弁構成部品は、弁筐体本体部２１Ｂの外部環状構造５３内に適合するように弁筐体本体部２１Ａ上に形成され、外側に伸びている放射状フランジ６４による取り込みを介して配置される。
【００９２】
図示されるビール樽の構成は、例示のみの方法で進歩され、本発明は、この構成やビールの貯蔵及び注出の細部は本出願に限定されるものではない。
【００９３】
容器の首部は、溶接やねじ山の保持リングといった手段以外に金属の留め金リングの圧縮により弁本体に接続されることが可能である。
【００９４】
本発明に係る弁構造に適合した容器は、サイダーや炭酸飲料、すなわちガス圧下で注出される他の飲み物を貯蔵、満たし、及び注出することができる。
【００９５】
加圧ガスは、貯蔵及び注出される液体の性質に応じて二酸化炭素、窒素、他の適した気体とできる。
【００９６】
図５は、本発明の他の形態に係る弁構造１１５を示している。
構成部分において、上述した形態と同様である部分には同じ符号を付している。
【００９７】
図５に示すように、当該分野の当業者においては、液体容器１２’は、吹きつけ鋳型される前の形状であることを好むだろう。
【００９８】
弁構造１１５は、弁構造のねじ山で容器１２’に接続されることを可能としている。
この形態では、首部７０は、のこ歯ねじ山に適合するねじ山を有している。
【００９９】
第一弁筐体本体部１２１Ｂは、内部壁上に相補的な、のこ歯ねじ山を有する保持リング７１を有し、そのため、第一弁筐体本体部１２１Ｂは、容器１２’の首部７０のふち上に適合し、ねじ山で容器に装着することが可能である。
【０１００】
保持リング７１は、内部容器１２’の首部７０に反するような外部容器１１の首部７４を保持する下側の保持リング７３を有している。
【０１０１】
保持リングは、前記保持リングが取り除かれることを防止するための保持機構の部分を提供し、それは、一旦、外部容器の首部中の凹部に内部適合する保持用のラグ（図示していないが）の形成で容器を損害しない位置に配置される。
【０１０２】
図５に示される構成では、内部容器１２’の首部７０に差し込まれている弁構造１１５を信頼し、このようにして、ねじ山が容器１２’の加圧内容物からの加圧を耐えることを許容している。
【０１０３】
首部７０及び保持リング７１上にある、のこ歯ねじ山の使用は、内容物の加圧に反して弁構造１１５を保持することを助けている。
【０１０４】
首部の差込は、ねじ山の構成が上述しているように、より広い首部上に使用されることを許容している。つまり、弁構造１１５が首部７０に栓をして、首部７０が、例えば、円形状開放から卵型開放に、若しくは崩壊といった完全な円でなくなることによる変形から防止するものである。それは、また、第二弁筐体本体部が、熱溶解、若しくは前述の実施の形態にあるように首部７０上に押し付けられる必要を防止している。結果として、弁構造１１５は、容器１２’への装着より先立って完全に組み立てることができる。
【０１０５】
これは、より大きな組み立てのオーダとしての選択性を提供し、より適切な首部のサイズを２５〜２００ｍｍとすることができる。
【０１０６】
当業者は、このデザインが１部分の弁筐体が採用されるのを許容する、ということを好むであろう。
【０１０７】
しかしながら、二部品の筐体においては、異なる直径の弁構造が、同一の内部弁筐体本体部２１Ａを採用し、一方で、外部の環状弁筐体本体部１２１Ｂのサイズの変更を伴って構築されるのを許容する。
【０１０８】
他のバリエーションは、当業者にとっては明確であり、本発明で述べた範囲内となるであろう。
【図面の簡単な説明】
【０１０９】
【図１】図１は、注出用の管、及び本発明に係る弁構造を結合した液体容器と、従来のビール注出用連結器とを連結したビール樽の部分立面図である。
【図２】図２は、ビール樽の上部の垂直断面図である。
【図３】図３は、弁構造の所定部分の透視図である。
【図４】図４は、弁構造の組み立て方法を示す図である。
【図５】図５は、本発明に係る他の形態のビール樽の上部部分の垂直部分断面図である。
【図１】
0005495557.tif 000002
【図２】
0005495557.tif 000003
【図３】
0005495557.tif 000004
【図４】
0005495557.tif 000005
【図５】
0005495557.tif 000006